(57)【要約】【課題】ＣＤを購入したユーザは、いつでも、どこでも、購入したＣＤの音楽を再生できるようにする。【解決手段】ＣＤ２５に音楽データを記録するときに、各ディスク毎に固有の識別情報を付加しておく。ＣＤに記録された音楽データを識別情報に基づいて管理するＩＤ管理サーバ１４と、音楽データが蓄積される楽曲サーバ１３と、携帯型ディジタルオーディオ機器３３からの配信要求により、音楽データを配信する音楽配信サーバ１６を設ける。エンドユーザは、ＣＤ２５を購入したら登録処理を行い、識別情報をネットワークを介してＩＤコ管理サーバ１４に送る。識別情報を使って、各ユーザ毎にどの楽曲を保有しているのかを示すリストが作成され、携帯型ディジタルオーディオ機器３３で音楽配信を受ける際に、各ユーザが保有している楽曲については、優先的に再生或いはダウンロードが行われる。【選択図】　　　　図１
2004004245.tif 000002
【特許請求の範囲】
【請求項１】
記録媒体にコンテンツデータを記録すると共に、上記記録媒体に各記録媒体毎に固有の識別情報を付加する手段と、
上記記録媒体に記録されたコンテンツデータを、上記各記録媒体毎に固有の識別情報に基づいて管理する管理サーバと、
上記記録媒体に記録されたコンテンツデータに対応するコンテンツデータが蓄積されるコンテンツサーバと、
端末機器からの配信要求により、上記コンテンツサーバからコンテンツデータをアクセスし、上記コンテンツデータを要求のあった端末機器に配信するコンテンツ配信サーバと、
上記記録媒体を購入したユーザが上記記録媒体の登録処理を行うときに、上記各記録媒体毎に固有の識別情報を、上記管理サーバに送信するユーザ端末と、
上記コンテンツデータ配信サーバにコンテンツデータの配信を要求する端末機器とからなり、
上記管理サーバは、上記ユーザ端末から送られてきた上記各記録媒体毎に固有の識別情報を参照して、各ユーザ毎に保有しているコンテンツデータのリストを作成し、
上記コンテンツデータ配信サーバは、上記端末機器から配信要求があると、上記管理サーバの上記リストを参照して、上記配信を要求している端末機器のユーザの保有しているコンテンツデータを判断し、上記配信を要求している端末機器のユーザの保有しているコンテンツデータに対応するコンテンツデータについては、優先的にコンテンツデータを提供する
ようにしたコンテンツデータ提供システム。
【請求項２】
上記記録媒体は、光ディスクである請求項１に記載のコンテンツデータ提供システム。
【請求項３】
上記識別情報は、反射膜に対して追加記録されている請求項１に記載のコンテンツデータ提供システム。
【請求項４】
上記識別情報は、記録媒体または上記記録媒体のパッケージに同封されるものの一部に印字されている請求項１に記載のコンテンツデータ提供システム。
【請求項５】
上記記録媒体は、不揮発性の半導体メモリである請求項１に記載のコンテンツデータ提供システム。
【請求項６】
上記コンテンツデータは、音楽データである請求項１に記載のコンテンツデータ提供システム。
【請求項７】
上記コンテンツデータは、映像データである請求項１に記載のコンテンツデータ提供システム。
【請求項８】
上記コンテンツデータは、ゲーム等を含むプログラムである請求項１に記載のコンテンツデータ提供システム。
【請求項９】
上記各ユーザ毎に保有しているコンテンツデータのリストには、上記コンテンツデータの配信を受ける各端末機器毎に固有の機器識別情報を記述するようにした請求項１に記載のコンテンツデータ提供システム。
【請求項１０】
上記機器識別情報は、上記コンテンツデータの配信を受ける端末機器が携帯電話なら、上記携帯電話の電話番号である請求項９に記載のコンテンツデータ提供システム。
【請求項１１】
上記優先的なコンテンツデータの提供は、上記コンテンツデータの再生を許可するものである請求項１に記載のコンテンツデータ提供システム。
【請求項１２】
上記優先的なコンテンツデータの提供は、上記コンテンツデータを無料若しくは低価格でダウンロード若しくはストリーミング再生させるものである請求項１に記載のコンテンツデータ提供システム。
【請求項１３】
上記記録媒体の登録処理は、ネットワークを介して行うようにした請求項１に記載のコンテンツデータ提供システム。
【請求項１４】
記録媒体にコンテンツデータを記録すると共に、上記記録媒体に各記録媒体毎に固有の識別情報を付加し、
上記記録媒体を購入したユーザが上記記録媒体の登録処理を行うときに、上記各記録媒体毎に固有の識別情報を、上記記録媒体に記録されたコンテンツデータを上記各記録媒体毎に付加された識別情報に基づいて管理する管理サーバに送信し、
上記管理サーバは、上記ユーザ端末から送られてきた上記各記録媒体毎の識別情報を参照して、各ユーザ毎に保有しているコンテンツデータのリストを作成し、
端末機器からコンテンツデータ配信サーバにコンテンツデータの配信要求があると、上記コンテンツデータ配信サーバは、上記管理サーバの上記リストを参照して、上記配信を要求している端末機器のユーザの保有しているコンテンツデータを判断し、上記配信を要求している端末機器のユーザの保有しているコンテンツデータに対応するコンテンツデータについては、優先的にコンテンツデータを提供する
ようにしたコンテンツデータ提供方法。
【請求項１５】
上記記録媒体は、光ディスクである請求項１４に記載のコンテンツデータ提供方法。
【請求項１６】
上記識別情報は、ディスクの反射膜に対して追加記録されている請求項１４に記載のコンテンツデータ提供方法。
【請求項１７】
上記識別情報は、記録媒体または上記記録媒体のパッケージに同封されるものの一部に印字されている請求項１４記載のコンテンツデータ提供方法。
【請求項１８】
上記記録媒体は、不揮発性の半導体メモリである請求項１４に記載のコンテンツデータ提供方法。
【請求項１９】
上記コンテンツデータは、音楽データである請求項１４に記載のコンテンツデータ提供方法。
【請求項２０】
上記コンテンツデータは、映像データである請求項１４に記載のコンテンツデータ提供方法。
【請求項２１】
上記コンテンツデータは、ゲーム等を含むプログラムである請求項１４に記載のコンテンツデータ提供方法。
【請求項２２】
上記各ユーザ毎に保有しているコンテンツデータのリストには、上記コンテンツデータの配信を受ける各端末機器毎に固有の機器識別情報を記述するようにした請求項１４に記載のコンテンツデータ提供方法。
【請求項２３】
上記機器識別情報は、上記コンテンツデータの配信を受ける端末機器が携帯電話なら、上記携帯電話の電話番号である請求項２２に記載のコンテンツデータ提供方法。
【請求項２４】
上記優先的なコンテンツデータの提供は、上記コンテンツデータの再生を許可するものである請求項１４に記載のコンテンツデータ提供方法。
【請求項２５】
上記優先的なコンテンツデータの提供は、上記コンテンツデータを無料若しくは低価格でダウンロード若しくはストリーミング再生させるものである請求項１４に記載のコンテンツデータ提供方法。
【請求項２６】
上記記録媒体の登録処理は、ネットワークを介して行うようにした請求項１４に記載のコンテンツデータ提供方法。
【請求項２７】
各機器毎に固有の機器識別情報の保持手段と、
コンテンツ配信サーバに接続してコンテンツデータの配信を要求する手段と、
上記コンテンツ配信サーバに接続してコンテンツデータの配信を要求すると、上記管理サーバが上記各機器毎に固有の機器識別番号からユーザを判別し、ユーザの保有しているコンテンツデータのリストを送信し、上記リストを受信する手段と、
上記ユーザの保有しているコンテンツデータのリストを表示する手段と、
上記ユーザの保有しているコンテンツデータのリストから、配信を要求するコンテンツデータを選択する手段と、
上記要求に応じて上記コンテンツ配信サーバから送られてくるコンテンツデータを受信し、上記コンテンツデータを再生または保存する手段と
を備えるようにした端末機器。
【発明の詳細な説明】
【０００１】
【発明の属する技術分野】
この発明は、コンテンツデータ提供システムおよび方法、端末機器に関するもので、特に、例えば、音楽データ記録されるＣＤ（Ｃｏｍｐａｃｔ　Ｄｉｓｃ）のディスクに付加される各ディスク毎に固有の識別情報を使ったものに係わる。
【０００２】
【従来の技術】
携帯型のディジタルオーディオ再生機器の普及により、いつでも、どこでも、好みの音楽再生が楽しめる音楽再生環境が整いつつある。また、インターネットを使った音楽配信システムの登場や携帯電話を使った音楽配信システムの登場により、音楽データが手軽に購入できるようになってきている。しかしながら、その反面、インターネットを使った音楽配信システムの登場や携帯電話を使った音楽配信システムの登場により、著作権の侵害やＣＤの売り上げ減少が危惧されている。
【０００３】
すなわち、ＭＰ３（ＭＰＥＧ１　Ａｕｄｉｏ　Ｌａｙｅｒ−３　）やＡＴＲＡＣ（Ａｄａｐｔｉｖｅ　ＴＲａｎｓｆｏｒｍＡｃｏｕｓｔｉｃ　Ｃｏｄｉｎｇ）３等で圧縮された音楽データを記憶させる半導体メモリと、この半導体メモリに記憶されている音楽データを再生するデコーダとを備え、乗り物に乗りながら、歩行しながら、或いは旅先で等、あらゆる環境で音楽再生を楽しむことができるようにした携帯型のディジタルオーディオ再生機器が普及している。このような携帯型のディジタルオーディオ再生機器は、シリコンオーディオと称されており、小型、軽量で消費電力が小さいと共に、ディスクを使わないことから、衝撃や振動に強く、取り扱いが容易であるという利点がある。
【０００４】
また、ＰＤＡ（Ｐｅｒｓｏｎａｌ　Ｄｉｇｉｔａｌ　Ａｓｓｉｓｔａｎｔ）と呼ばれる携帯型のパームトップコンピュータが携帯型のディジタルオーディオ再生機器として利用されている。さらに、携帯電話を利用した音楽配信サービスが開始されている。
【０００５】
携帯電話を利用した音楽配信サービスでは、携帯電話の回線を使って、ユーザの好みの音楽データをダウンロードして、携帯電話の半導体メモリに蓄積される。このような携帯電話を利用した音楽配信サービスでは、携帯型のディジタルオーディオ再生機器と同様に、いつでも、どこでも、好みの音楽再生が楽しめる。
【０００６】
このような携帯型のディジタルオーディオ再生機器に音楽データを保存する際、現状では、殆どのユーザは、ＣＤから再生された音楽データをパーソナルコンピュータに取り込み、ＭＰ３等の形式に圧縮し、この圧縮された音楽データのファイルを携帯型のディジタルオーディオ再生機器に送って、ディジタルオーディオ再生機器のメモリに記憶させている。この方法は、ユーザが既に所有しているＣＤの資源を有効に活用でき、自分の好みの曲を携帯型ディジタルオーディオ再生機器に取り込めるという利点がある。
【０００７】
しかしながら、ＣＤから再生された音楽データをディジタルオーディオ再生機器のメモリに記憶させる方法は、明らかにＣＤに記録されている音楽データをコピーする行為そのものであり、著作権が守られなくなることが危惧される。
【０００８】
このように、携帯型ディジタルオーディオ再生機器は、いつでも、どこでも、音楽再生が行えて便利であるが、携帯型ディジタルオーディオ機器で再生する音楽データのソースについては、著作権の問題が発生することが危惧される。理想的には、ＣＤの音楽データはコピーさせないようにすることが望まれるが、そのようにすると、ＣＤを購入したユーザに不利益を与えかねない。
【０００９】
例えば、あるユーザがお気に入りのＣＤアルバムを金銭を支払って購入したとする。そして、このユーザは、携帯型ディジタルオーディオ再生機器で、そのＣＤアルバムの楽曲を楽しみたいとする。
【００１０】
この場合、そのユーザがそのアルバムのＣＤを購入したとしても、ＣＤがコピーできなければ、そのアルバムの楽曲をＣＤから携帯型ディジタルオーディオ再生機器にコピーして、携帯型ディジタルオーディオ機器で再生を楽しむことはできない。
【００１１】
ＣＤのアルバムの楽曲と同じ楽曲の音楽データが音楽配信サービスで提供されていれば、音楽配信サービスからこの音楽データをダウンロードし、このダウンロードされた音楽データを携帯型ディジタルオーディオ機器に送り、携帯型ディジタルオーディオ機器で再生を楽しむこともできる。しかしながら、現状では、ＣＤの売り上げの影響を危惧して、音楽配信サービスでは、最新のアルバムの楽曲は提供されていないことが殆どである。
【００１２】
すなわち、音楽配信サービスは、ネットワークに接続可能な環境にあれば、いつでも、どこでも、ユーザが好みの音楽データを購入することができ、利便性が高いことについては疑う余地がない。ところが、音楽配信サービスで最新のアルバムの音楽データを提供すると、ユーザが音楽配信サービスにより最新のアルバムの音楽データを購入し、その音楽データをコピーして音楽再生を楽しむことが予測され、ＣＤの売り上げの減少が危惧される。したがって、現状では、最新アルバムのように、ＣＤの売り上げが期待されるものについては、ＣＤでのみ発売され、音楽配信サービスでは提供されないことが殆どである。
【００１３】
また、たとえ、音楽配信サービスで、そのアルバムの音楽データが購入できたとしても、この場合、自分が購入したＣＤアルバムの内容と全く同じ楽曲の音楽データを音楽配信サービスで再び購入しなければない。これは、同一の音楽データを２回金額を支払って購入したという結果となり、ユーザにとって多大な不利益になる。
【００１４】
このように、ＣＤのコピーを完全に禁止すると、そのユーザは、著作権を侵害するつもりはなく、自分の聞きたいＣＤを購入しているにもかかわらず、携帯型ディジタルオーディオ機器でその楽曲の再生を楽しむことはできないということになる。或いは、そのユーザは、同じ音楽データを２回購入させられるという不利益を被る結果となる。
【００１５】
また、上述のように、現状の音楽配信サービスでは、ＣＤの売り上げの影響を危惧して、最新アルバムのような人気の高い音楽が提供されていない。音楽配信サービスがどんなに利便性が高いとしても、最新アルバムのような人気の高い音楽が提供されなければ、その発展にも限界があり、このことが、音楽配信サービスの発展の阻害の一つの要因になっていると考えられる。
【００１６】
【発明が解決しようとする課題】
以上の点を考慮し、ＣＤを購入するユーザに対して、同一のコンテンツデータを再び購入するというような不利益を強いることなく、いつでも、どこでも、購入したコンテンツのデータの再生を楽しめるようにする環境を提供し、その音楽の著作権者に対しては、ＣＤのコピーの機会を減らし、著作権の侵害の防止につながると共に、音楽配信サービスでその音楽データを提供しても、ＣＤの売り上げに影響を与えることがないようにする環境を提供し、音楽配信サービスの健全な発展を促進していくことが望まれる。
【００１７】
したがって、この発明の目的は、ＣＤのような記録媒体でコンテンツのデータを購入したユーザに対して不利益を強いることなく、いつでも、どこでも、購入したコンテンツデータを再生できるようにしたコンテンツデータ提供システムおよび方法、端末機器を提供することにある。
【００１８】
この発明の他の目的は、著作権者に対しては、ＣＤのコピーの機会を減らし、著作権の侵害の防止につながると共に、音楽配信サービスでその音楽データを提供しても、ＣＤの売り上げに影響を与えることがないようにする環境を提供し、音楽配信サービスの健全な発展を促進していくことができるコンテンツデータ提供システムおよび方法、端末機器を提供することにある。
【００１９】
【課題を解決するための手段】
上述の課題を解決するために、この発明が適用されたコンテンツデータ提供システムは、記録媒体にコンテンツデータを記録すると共に、記録媒体に各記録媒体毎に固有の識別情報を付加する手段と、記録媒体に記録されたコンテンツデータを、各記録媒体毎に固有の識別情報に基づいて管理する管理サーバと、記録媒体に記録されたコンテンツデータに対応するコンテンツデータが蓄積されるコンテンツサーバと、端末機器からの配信要求により、コンテンツサーバからコンテンツデータをアクセスし、コンテンツデータを要求のあった端末機器に配信するコンテンツ配信サーバと、記録媒体を購入したユーザが記録媒体の登録処理を行うときに、各記録媒体毎に固有の識別情報を、管理サーバに送信するユーザ端末と、コンテンツデータ配信サーバにコンテンツデータの配信を要求する端末機器とからなり、管理サーバは、ユーザ端末から送られてきた各記録媒体毎に固有の識別情報を参照して、各ユーザ毎に保有しているコンテンツデータのリストを作成し、コンテンツデータ配信サーバは、端末機器から配信要求があると、管理サーバのリストを参照して、配信を要求している端末機器のユーザの保有しているコンテンツデータを判断し、配信を要求している端末機器のユーザの保有しているコンテンツデータに対応するコンテンツデータについては、優先的にコンテンツデータを提供するものである。
【００２０】
この発明が適用されたコンテンツデータ提供方法は、記録媒体にコンテンツデータを記録すると共に、記録媒体に各記録媒体毎に固有の識別情報を付加し、記録媒体を購入したユーザが記録媒体の登録処理を行うときに、各記録媒体毎に固有の識別情報を、記録媒体に記録されたコンテンツデータを各記録媒体毎に付加された識別情報に基づいて管理する管理サーバに送信し、管理サーバは、ユーザ端末から送られてきた各記録媒体毎の識別情報を参照して、各ユーザ毎に保有しているコンテンツデータのリストを作成し、端末機器からコンテンツデータ配信サーバにコンテンツデータの配信要求があると、コンテンツデータ配信サーバは、管理サーバのリストを参照して、配信を要求している端末機器のユーザの保有しているコンテンツデータを判断し、配信を要求している端末機器のユーザの保有しているコンテンツデータに対応するコンテンツデータについては、優先的にコンテンツデータを提供するものである。
【００２１】
この発明が適用された端末機器は、各機器毎に固有の機器識別情報の保持手段と、コンテンツ配信サーバに接続してコンテンツデータの配信を要求する手段と、コンテンツ配信サーバに接続してコンテンツデータの配信を要求すると、管理サーバが各機器毎に固有の機器識別番号からユーザを判別し、ユーザの保有しているコンテンツデータのリストを送信し、リストを受信する手段と、ユーザの保有しているコンテンツデータのリストを表示する手段と、ユーザの保有しているコンテンツデータのリストから、配信を要求するコンテンツデータを選択する手段と、要求に応じてコンテンツ配信サーバから送られてくるコンテンツデータを受信し、コンテンツデータを再生または保存する手段とを備えたものである。
【００２２】
ＣＤディスクのような記録媒体にコンテンツデータ（音楽データ）を記録するときに、各記録媒体毎に固有の識別情報（ＵＤＩ）を付加しておく。記録媒体に記録されたコンテンツデータを、各記録媒体毎に付加された識別情報に基づいて管理する管理サーバ（ＩＤ管理サーバ）と、記録媒体に記録されたコンテンツデータに対応するコンテンツデータが蓄積されるコンテンツサーバ（楽曲サーバ）と、端末機器（携帯型ディジタルオーディオ機器）からの配信要求により、コンテンツサーバからコンテンツデータを読み出し、読み出されたコンテンツデータを要求のあった端末機器（携帯型ディジタルオーディオ機器）に配信するコンテンツ配信サーバ（音楽配信サーバ）を設ける。
【００２３】
エンドユーザは、記録媒体を購入したらユーザ端末（パーソナルコンピュータ）によりネットワークを経由して登録処理を行い、識別情報をコンテンツの提供者の管理サーバに送る。この識別情報を使って、各ユーザ毎にどの楽曲を保有しているのかを示すリストが作成される。そして、各ユーザが保有している楽曲については、再生が許可されたり、ダウンロードが無料或いは低料金で行える。
【００２４】
エンドユーザ側にとっては、ＣＤを購入して登録処理を済ませると、音楽配信が優先的に受けられるようになり、携帯型のディジタルオーディオ機器を利用するのにＣＤのディスクからの音楽データをコピーする必要がなくなると共に、同一の音楽データを２回料金を支払って購入する必要がなくなるという利点がある。
【００２５】
コンテンツの提供者側にとっては、ＣＤを購入したユーザがＣＤのディスクからの音楽データをコピーする機会が少なくなると予想されるため、著作権の保護が図りやすい。また、ＣＤのディスクから携帯型のディジタルオーディオ機器にコピーしなくても、その音楽データが音楽配信で手に入れられるため、ＣＤの売り上げへの影響が少ないと考えられる。
【００２６】
さらに、ＣＤの売り上げと音楽配信とが関連するようになるため、コンテンツの提供者が積極的に音楽配信で自分の楽曲を提供することになることが予想され、音楽配信サービスの発展が期待できる。
【００２７】
【発明の実施の形態】
以下、この発明の実施の形態について図面を参照して説明する。図１は、この発明が適用されたシステムの一例である。このシステムでは、音楽会社１１がディスク工場２１に、音楽データが記録されたＣＤのディスクの製造を依頼し、ディスク工場２１で、ディスク２５を作成し、このディスク２５をエンドユーザ３１に向けて販売する。そして、ディスク２５を購入したエンドユーザ３１は、登録すると、購入したディスク２５については、その楽曲の所有者として、音楽配信サーバで優先的に音楽配信を受けられるようにしたものである。
【００２８】
ここで、ディスク２５は、記録媒体として用いるＣＤのディスクであり、さらに、この例では、各ディスク毎に固有のディスク識別情報（ＵＤＩ）を追加記録できるものが用いられる。ディスク識別情報（ＵＤＩ）は、個々のディスクを識別するための情報である。このディスク識別情報（ＵＤＩ）としは、例えばディスク製造者名、ディスク販売者名、製造工場名、製造年、シリアル番号、時間情報等を記述しておくことができる。これに限らず、さらに、各種の情報が記録できる。このディスク識別情報（ＵＤＩ）は、例えば既存のＣＤプレーヤまたはＣＤ−ＲＯＭドライブによって読み取ることが可能なように記録される。
【００２９】
このような識別情報（ＵＤＩ）が記録されているＣＤのディスク２５を用いることで、各ユーザ毎に、どのＣＤディスクを保有しているのかが分かり、ＣＤを購入したエンドユーザ３１に対して優先的に音楽配信サービスを行うことが可能となる。図１に示すシステムの説明に先立ち、先ず、このようなディスク識別情報（ＵＤＩ）を追加記録できるディスクについて説明する。
【００３０】
最初に、理解を容易とするために、既存の光ディスク例えばＣＤの構造について説明する。
【００３１】
図２は、既存のＣＤの一部を拡大して示すものである。所定のトラックピッチＴｐ（例えば１．６μｍ）のトラック上に、ピットと呼ばれる凹部と、ピットが形成されてないランドとが交互に形成されている。ピットおよびランドの長さは、３Ｔ〜１１Ｔの範囲内とされている。Ｔは、最短の反転間隔である。ＣＤには、下側からレーザ光が照射される。
【００３２】
レーザ光が当たる下側から順に、厚さ１．２ｍｍの透明ディスク基板１と、その上に被覆された反射膜２と、反射膜２に被覆された保護膜３とが順に積層された構造とされている。反射膜２は、高い反射率を持つものが使用される。ＣＤは、読み出し専用ディスクであるが、後述するように、反射膜２が被覆された後に、反射膜２に対してレーザ光を使用してディスク識別情報（ＵＤＩ）が記録される。
【００３３】
このようなＣＤの製造工程の流れを図３を参照して説明する。ステップＳ１では、ガラス板に感光物質であるフォトレジストが塗布されたガラス原盤がスピンドルモータによって回転され、記録信号に応じてオン／オフされたレーザ光がフォトレジスト膜に照射され、マスタが作成される。フォトレジスト膜が現像処理され、ポジ形レジストの場合では、感光された箇所が溶け、凹凸パターンがフォトレジスト膜上に形成される。
【００３４】
フォトレジスト原盤に対してメッキがなされる電鋳処理によって１枚のメタルマスタが作成される（ステップＳ２）。メタルマスタから複数枚のマザーが作成され（ステップＳ３）、さらに、このマザーから複数枚のスタンパが作成される（ステップＳ４）。スタンパを使用してディスク基板が作成される。ディスク基板の作成方法としては、圧縮成形、射出成形、光硬化法等が知られている。そして、ステップＳ６において、反射膜および保護膜が被着される。従来のディスク製造方法では、さらに、ラベル印刷を行うことでＣＤを製作していた。
【００３５】
一方、図３の例では、反射膜（ミラー部例えばランド）に対してレーザ光を照射して、さらに、情報を追加記録する工程Ｓ７が付加される。反射膜上のランドは、レーザ光が照射される熱処理（熱記録）によって原子が移動して膜構造や結晶性が変化し、そこの箇所の反射率が低下する。その結果、ランドであっても、レーザ光が照射された後では、戻りレーザ光が少なくなり、読取装置からは、ピットと同様に認識される。これを利用してピット長またはランド長を変化させ、情報を記録することができる。この場合、反射膜は、反射率がレーザ照射により変化する材料が使用される。反射率が低下するものに限らず、記録によって反射率が高くなる材料もある。
【００３６】
具体的には、アルミニウムの合金膜Ａｌ１００−ｘＸｘで反射膜が構成される。Ｘとしては、Ｇｅ，Ｔｉ，Ｎｉ，Ｓｉ，Ｔｂ，Ｆｅ、Ａｇのうちの少なくとも１種以上の元素が使用される。また、Ａｌ合金膜中の組成比ｘは、５＜ｘ＜５０〔原子％〕に選定される。
【００３７】
また、反射膜をＡｇ１００−ｘＸｘのＡｇ合金膜によって構成することもできる。その場合、Ｘとしては、Ｇｅ，Ｔｉ，Ｎｉ，Ｓｉ，Ｔｂ，Ｆｅ、Ａｌのうちの少なくとも１種以上の元素が使用される。また、Ａｌ合金膜中の組成比ｘは、５＜ｘ＜５０〔原子％〕に選定される。反射膜は、例えばマグネトロンスパッタリング法によって形成できる。
【００３８】
一例として、ＡｌＧｅ合金による反射膜を５０ｎｍの膜厚で形成し、対物レンズを介して透明基板または保護膜側からレーザ光を照射した場合に、Ｇｅの組成比が２０〔原子％〕の場合では、記録パワーが６〜７〔ｍＷ〕の場合に、反射率が６％程度低下し、Ｇｅの組成比が２７．６〔原子％〕の場合では、記録パワーが５〜８〔ｍＷ〕の場合に、反射率が７〜８％程度低下する。このような反射率の変化が生じることによって、反射膜に対する追加記録が可能となる。
【００３９】
図４は、ディスク識別情報（ＵＤＩ）の追加記録の方法をより具体的に説明するための図である。記録データとピットおよびランドの対応の仕方は、前のパターンとの関係でパターンＡと、パターンＢとがありうる。
【００４０】
最初にパターンＡについて説明する。シンボル間に３ビットの例えばマージビット（０００）が挿入される。追加記録をする場合、８ビットのデータシンボルが例えば（０ｘ４７）とされる。０ｘは、１６進表記を意味する。この８ビットをＥＦＭ（ｅｉｇｈｔ　ｔｏ　ｆｏｕｒｔｅｅｎ　ｍｏｄｕｌａｔｉｏｎ）変調した結果の１４ビットのパターン（００１００１００１００１００）が図４に示されている。
【００４１】
そして、二つのピットの間の斜線領域に対して追加記録用のレーザビームを照射する。その結果、斜線領域の反射率が低下し、記録後では、二つのピットが結合した一つのピットとして再生される。この場合の１４ビットのパターンが（００１００１００００００００）となる。これは、ＥＦＭ復調した場合には、（０ｘ０７）の８ビットとして復調される。
【００４２】
パターンＢの場合では、マージビットが（００１）となる。この場合も、パターンＡと同様に、斜線領域にレーザビームを照射することによって、８ビットを（０ｘ４７）から（０ｘ０７）へと変化させることができる。
【００４３】
上述したように、元々は、（０ｘ４７）であったデータシンボルを（０ｘ０７）へ書き換えることができる。この例以外にも追加記録できるデータの種類としては、多々存在する。例えば元々（０ｘ４０）であったデータシンボルを（０ｘ００）へ変化させることができる。但し、追加記録は、元々記録されているデータのミラー部に対してレーザを照射することによって、ピット長またランド長を変えるものであるので、追加記録できるデータの種類が制限される。
【００４４】
図１に戻って、このようなディスク識別情報（ＵＤＩ）を追加記録できるディスク２５を利用して構築されるこの発明が適用されたシステムの一例についてさらに説明する。
【００４５】
図１において、アルバムやシングルのＣＤディスクを作成する場合には、音楽会社１１からディスク工場２１にディスクの作成が依頼される。そして、アーチストにより作成された音楽ソース１２が、音楽会社１１からディスク工場２１に送られる。この音楽ソース１２は、通常、アナログ或いはディジタル録音されたテープやディスクの形でアーチストから提供され、このテープやディスクが音楽会社１１からディスク工場２１に届けられる。なお、音楽ソース１２の形態や、音楽ソース１２を音楽会社１１からディスク工場２１に送る方法については、どのような形態や方法を用いても良い。また、音楽会社１１がディスク工場２１にディスクの作成を依頼するとき、音楽会社１１は、ディスク工場２１に、ディスク識別情報（ＵＤＩ）の追記を依頼する。
【００４６】
また、この音楽ソース１２は、音楽会社１１（或いはソフトハウス）の楽曲サーバ１３に送られる。楽曲サーバ１３は、これまでその音楽会社１１が出版してきたＣＤの楽曲のライブラリとなるサーバである。この楽曲サーバ１３には、音楽会社１１が著作権を有する楽曲や、音楽会社１１が今まで出版したＣＤの楽曲等、音楽会社１１に関連する多数の楽曲の音楽データが蓄積されている。音楽ソース１２が楽曲サーバ１３に送られると、音楽ソース１２の各音楽データが格納され、これから出版されることになるＣＤディスク２５に収納される各楽曲の音楽データがライブラリに加えられる。また、音楽ソース１２として含められる各曲の曲名、アーチスト名等、このＣＤに関する各種情報１５が、音楽会社１１（或いはソフトハウス）のＩＤ管理サーバ１４に送られる。
【００４７】
ディスク工場２１では、音楽会社１１からＣＤのディスクの作成依頼があり、その音楽ソース１２が届いたら、音楽ソース１２の音楽データが記録されたＣＤディスクの作成を行う。このとき、音楽会社１１から、ディスク識別情報（ＵＤＩ）の追記の依頼を受けているので、各ディスク毎にディスク識別情報（ＵＤＩ）の記録を行う。
【００４８】
すなわち、ディスク工場２１では、音楽会社１１からＣＤディスクの作成の依頼を受け、音楽ソース１２を受け取ると、先ず、ディスク製造工程２２に入り、音楽ソース１２の音楽データが記録されたマスタディスクを作成する。このマスタディスクから、スタンパにより、音楽ソース１２の音楽データが記録されたＣＤディスクを生産する。
【００４９】
このようにして作成されたディスクは、ＩＤ書き込み工程２３を経て、各ディスク毎にディスク識別情報（ＵＤＩ）が記録される。各ディスク毎に記録するディスク識別情報（ＵＤＩ）は、ＩＤ書き込みコントロールサーバ２４により管理されている。また、今回作成された各ディスクに記録されたディスク識別情報（ＵＤＩ）は、音楽会社またはソフトハウスのＩＤ管理サーバ１４に送られる。
【００５０】
このディスク製造工程２２およびＩＤ書き込み工程は、図２から図４に示した通りである。
【００５１】
ディスク製造工程２２、ＩＤ書き込み工程２３を経て作成されたディスク２５は、ラッピング工程２６を経て、ケースに収納され、ラッピングされて、商品となり、エンドユーザ３１に届けられる。なお、ディスク２５がエンドユーザ３１に届けられる間には、勿論、音楽出版社から問屋を経てＣＤショップへ、或いは音楽出版社からＣＤショップへ、或いは音楽出版社からエンドユーザ３１に直販の流通経路がある。また、正規のエンドユーザ３１は、ディスク２５を購入する際には、通常では、ＣＤショップに出かけ、しかるべき金額の支払いを行うことになる。
【００５２】
エンドユーザ３１は、ディスク２５を購入したら、ディスクの登録作業を行う。なお、エンドユーザ３１が会員登録を済ましていなければ、その前に、インターネット等のネットワーク接続機能を持ったエンドユーザ３１のパーソナルコンピュータ３２を、音楽会社１１のＩＤ管理サーバ１４に繋ぎ、会員登録を行う。なお、パーソナルコンピュータ３２はＣＤドライブを有しており、ディスク２５の音楽データと、ディスク識別情報（ＵＤＩ）の再生が可能である。勿論、このディスク２５は、通常のＣＤプレーヤで再生が可能である。
【００５３】
図５は、会員登録のときの処理を示すものである。図５において、例えば、エンドユーザ３１が購入したディスク２５が、エンドユーザ３１のパーソナルコンピュータ３２に装填されると、会員登録プログラムがスタートされる（ステップＳ１１）。会員登録プログラムがスタートされると、会員登録用メニューが表示される（ステップＳ１２）。ここで、既に会員であるか否かが判断される（ステップＳ１３）。
【００５４】
会員でなければ、エンドユーザ３１は、エンドユーザの名前、住所、機器識別情報等、個人情報を入力する（ステップＳ１４）。また、ここでの個人情報としては、ユーザの生年月日や性別、職業、電子メールのアドレス、ＣＤを購入した店の名前等を入力させるようにしても良い。このような情報は、カスタマー情報として、新商品を宣伝したり、顧客の購買力等の調査に利用できる。なお、機器識別情報は、音楽配信のサービスを受ける携帯型ディジタルオーディオ機器を識別するための機器固有の識別情報である。携帯電話の端末を携帯型ディジタルオーディオ機器として利用する場合には、携帯電話の電話番号を機器識別情報とすることができる。
【００５５】
個人情報が入力されると、入力されたエンドユーザの名前、住所、機器識別情報等の個人情報が、エンドユーザ３１のパーソナルコンピュータ３２から音楽会社１１のＩＤ管理サーバ１４に送られる（ステップＳ１５）。エンドユーザ３１のパーソナルコンピュータ３２と音楽会社１１のＩＤ管理サーバ１４との間の接続には、例えば、インターネットが使われ、インターネットのようなネットワークを通じて会員登録処理が行われる。
【００５６】
音楽会社１１のＩＤ管理サーバ１４は、エンドユーザから個人情報が送られてきたら、個人情報が漏れなく記載されているか、二重登録が行われていないか等のチェックを行って、問題がなければ、送られてきた個人情報をＩＤ管理サーバ１４に残して、そのエンドユーザに会員番号を発行する。この会員番号がエンドユーザ３１のパーソナルコンピュータ３２で受信されると（ステップＳ１６）、これで会員登録作業が終了され（ステップＳ１７）、次のステップに進められる（ステップＳ１８）。
【００５７】
既に会員であり、会員番号を取得しているエンドユーザ３１が会員登録プログラムを起動させると、ステップＳ１３で、会員であると判断される。この場合には、エンドユーザは、自分の取得している会員番号を入力する（ステップＳ１９）。
【００５８】
会員番号が入力されると、入力された会員番号がエンドユーザ３１のパーソナルコンピュータ３２から音楽会社１１のＩＤ管理サーバ１４に送られる（ステップＳ２０）。
【００５９】
音楽会社１１のＩＤ管理サーバ１４では、会員番号が送られてきたら、ＩＤ管理サーバ１４のその会員番号のエンドユーザの情報を参照して、正規の登録者であるかどうかを判断し、その結果を音楽会社１１のＩＤ管理サーバ１４からエンドユーザ３１のパーソナルコンピュータ３２に返す。
【００６０】
音楽会社１１のＩＤ管理サーバ１４からエンドユーザ３１のパーソナルコンピュータ３２に返された情報に基づいて、正規登録者かどうかが判断され（ステップＳ２１）、正規の登録者なら、次のステップに進められる（ステップＳ１８）。ここで、正規の登録者ではないと判断されたら、処理がやり直し或いはそこで処理が終了される（ステップＳ２２）。
【００６１】
図１において、エンドユーザ３１がディスク２５を購入すると、エンドユーザ３１が会員登録を済ましているなら直ぐに、会員登録を行っていなければ、上述のようにして会員登録なされた後に、インターネットのようなネットワークを経由して、登録処理が行われる。登録処理では、ディスク２５のディスク識別情報（ＵＤＩ）が読み取られる。そして、このディスク２５のディスク識別情報（ＵＤＩ）がエンドユーザ３１のパーソナルコンピュータ３２から音楽会社１１のＩＤ管理サーバ１４に送られる。音楽会社１１のＩＤ管理サーバ１４では、ＩＤ書き込みコントロールサーバ２４から送られてきた識別情報（ＵＤＩ）と、音楽ソース１２として含められる各曲の曲名、アーチスト名等、作成されるＣＤに関する各種の情報１５と、会員登録時にエンドユーザ３１から送られてきた個人情報を基に、カスタマーおよび所有楽曲リストが作成される。
【００６２】
つまり、図６は、購入したディスク２５を登録するときの処理を示すフローチャートである。
【００６３】
図６において、登録用のプログラムがスタートされると（ステップＳ３１）、ディスク２５に記録されている各ディスク固有の識別情報（ＵＤＩ）が読み取られる（ステップＳ３２）。この識別情報（ＵＤＩ）が読み取られると、この識別情報（ＵＤＩ）と会員番号がエンドユーザ３１のパーソナルコンピュータ３２から、音楽会社１１のＩＤ管理サーバ１４に送られる（ステップＳ３３）。
【００６４】
音楽会社１１のＩＤ管理サーバ１４では、エンドユーザ３１のパーソナルコンピュータ３２から送られてきた識別情報（ＵＤＩ）と、ＩＤ書き込みコントロールサーバ２４からの識別情報のリストに基づいて作成された識別情報とが比較されて、識別情報（ＵＤＩ）が確認される（ステップＳ３４）。なお、ここで、改竄された識別情報や、二重登録がチェックされる。この識別情報（ＵＤＩ）の確認結果から、正規の番号か否かが判断される（ステップＳ３５）。
【００６５】
エンドユーザ３１のパーソナルコンピュータ３２から送られてきた識別情報（ＵＤＩ）が正規の番号であると判断されたら、音楽会社１１のＩＤ管理サーバ１４に、その情報が登録される（ステップＳ３６）。
【００６６】
この識別情報（ＵＤＩ）が正規の番号ではないと判断されたら、この情報が音楽会社１１のＩＤ管理サーバ１４からエンドユーザ３１のパーソナルコンピュータ３２に送られる。そして、エンドユーザ３１のパーソナルコンピュータ３２に「正規ユーザではない」旨のメッセージが表示されて（ステップＳ３７）、処理が終了される（ステップＳ３８）。
【００６７】
このようにして、エンドユーザ３１がディスク２５を購入すると登録処理が行われる。この登録処理では、ディスク２５のディスク識別情報（ＵＤＩ）が読み取られ、図７に示すように、カスタマーおよび所有楽曲リストが作成される。
【００６８】
図７に示すように、カスタマーおよび所有楽曲リストには、購入者名と、会員番号と、ＣＤの識別情報と、シングル／アルバム情報と、アーチスト名と、タイトルと、曲名と、機器識別情報とが記述される。このカスタマーおよび所有楽曲リストから、各ユーザが保有している楽曲が分かる。
【００６９】
購入者名および会員番号、携帯電話番号等の機器識別情報は、エンドユーザ３１がパーソナルコンピュータ３２をＩＤ管理サーバ１４に繋げて会員登録をする際に記述される。ＣＤの識別情報については、エンドユーザ３１がパーソナルコンピュータ３２にディスク２５を装着し、エンドユーザ３１のパーソナルコンピュータ３２をＩＤ管理サーバ１４に繋げたときに、ディスク２５に記録されていた識別情報（ＵＤＩ）が読み取られ、これを基に記述される。シングル／アルバム情報、アーチスト名、タイトル、曲名は、作成されるＣＤに関する各種情報１５に基づいて記述される。
【００７０】
図１において、音楽会社１１には、音楽配信サーバ１６が設けられる。音楽配信サーバ１６は、インターネットや携帯電話の回線で、音楽配信サービスを行っている。この音楽配信サーバ１６は、楽曲サーバ１３に蓄積されている楽曲の音楽データを提供することができる。そして、音楽配信サーバ１６は、ＩＤ管理サーバ１４に設けられたカスタマーおよび所有楽曲リスト（図７）を参照して、ＣＤを購入したユーザに対して、優先的に音楽配信サービスを行っている。
【００７１】
例えば、図７のリストで示したように、会員番号「９０１２」の「鈴木一郎」なるエンドユーザ３１が、識別情報「１２３４５６７」のＣＤのディスク２５を購入したとする。この「鈴木一郎」なるエンドユーザ３１がパーソナルコンピュータ３２にディスク２５を装着し、パーソナルコンピュータ３２を音楽会社１１のＩＤ管理サーバ１４に繋げると、ディスク２５に記録されていた識別情報（ＵＤＩ）が読み取られ、エンドユーザ３１のパーソナルコンピュータ３２からＩＤ管理サーバ１４に識別情報（ＵＤＩ）が送られ、識別情報「１２３４５６７」がＣＤの識別情報として記述される。シングル／アルバム情報、アーチスト名「佐藤一郎」、タイトル「春夏」、曲名「春一番」は、作成されるＣＤに関する各種の情報１５に基づいて記述される。また、会員登録時に、機器識別情報として、携帯電話番号「０９０４５７８９５４」が記述される。
【００７２】
このように、「鈴木一郎」なるエンドユーザ３１は、会員登録をして、購入したディスク２５の識別情報を音楽会社１１のＩＤ管理サーバに送り、カスタマーおよび所有楽曲リストに登録しておくと、この「鈴木一郎」なるエンドユーザ３１は、自分の保有している楽曲について、音楽配信で優先的にサービスが受けられる。つまり、この場合には、鈴木一郎なるエンドユーザの電話番号「０９０４５７８９５４」の携帯電話で音楽配信サーバ１６をアクセスすると、そのエンドユーザは、ディスクタイトル「春夏」の「春一番」、「夏一番」なる楽曲の再生が許可される。或いは、ダウンロードやストリームによる音楽配信の場合には、料金無料若しくは低価格でダウンロードやストリーミング再生が行える。
【００７３】
図８は、携帯型のディジタルオーディオ再生機器３３を使って音楽配信サービスを受ける場合の処理を示すフローチャートである。図８において、音楽再生プログラムがスタートされる（ステップＳ４１）。そして、携帯型のディジタルオーディオ再生機器３３を使って、音楽会社１１の音楽配信サーバ１６に、会員番号と、機器識別情報が送付される（ステップＳ４２）。なお、会員番号や機器識別情報は、メモリ機能を使って、自動的に送付させることができる。また、携帯電話を携帯型のディジタルオーディオ再生機器として用いている場合には、発信元の電話番号から機器識別情報が取得できる。
【００７４】
音楽配信サーバ１６は、エンドユーザ３１の携帯型のディジタルオーディオ再生機器３３から会員番号や機器識別情報の情報を受け取ると、ＩＤ管理サーバ１４に問い合わせを行い、会員番号や機器識別情報を確認する（ステップＳ４３）。この情報を基に、正規の会員番号或いは機器識別情報であるか否かが判断される（ステップＳ４４）。正規の番号でないと判断されると、この情報が音楽配信サーバ１６からエンドユーザ３１の携帯型のディジタルオーディオ再生機器３３に返され、ディジタルオーディオ再生機器３３のディスプレイに、「正規番号ではない」旨を示すメッセージが表示され（ステップＳ４５）、ここで処理が終了される（ステップＳ４６）。
【００７５】
ステップＳ４４で、正規の会員番号および機器識別情報であると判断されると、ＩＤ管理サーバ１４の情報が参照され、そのエンドユーザが所有している楽曲のリストが作成される。すなわち、図７に示したカスタマーおよび所有楽曲リストが参照され、そのユーザがＣＤを購入して登録した楽曲のリストが作成され（ステップＳ４７）、このユーザが所有している楽曲のリストが音楽配信サーバ１６からエンドユーザ３１の携帯型のディジタルオーディオ再生機器３３に送られる。携帯型のディジタルオーディオ再生機器３３には、そのユーザが所有している楽曲のリストが表示される（ステップＳ４８）。
【００７６】
エンドユーザ３１は、このメニューのリスト表示を見て、配信を要求する楽曲を選択する（ステップＳ４９）。この選択された楽曲のリストがディジタルオーディオ再生機器３３から、音楽配信サーバ１６に送信される（ステップＳ５０）。
【００７７】
音楽配信サーバ１６は、エンドユーザ３１のディジタルオーディオ再生機器３３からの選択された楽曲のリストを受信すると（ステップＳ５１）、楽曲サーバ１３をアクセスして、選択された楽曲の音楽データを入手する（ステップＳ５２）。そして、この選択された楽曲の音楽データが、楽曲サーバ１３から、音楽配信サーバ１６を介して、エンドユーザ３１の携帯型のディジタルオーディオ再生機器３３に向けて配信される（ステップＳ５３）。
【００７８】
エンドユーザ３１のディジタルオーディオ再生機器３３では、音楽配信サーバ１６から音楽データが送られてきたら、その音楽データを受信し、その音楽データを再生またはメモリに保存する（ステップＳ５４）。すなわち、音楽配信がストリーミングで行われているときには、その音楽データを受信しながら再生が行われる。音楽配信がダウンロードで行われているときには、その音楽データがメモリに保存される。なお、ストリーミングは、音楽データを受信しながら再生するものである。ダウンロードは、音楽データをＭＰ３やＡＴＲＡＣ３の圧縮ファイルで送るものである。
【００７９】
図９は、この発明が適用できる携帯型ディジタルオーディオ再生装置の一例を示すものである。この例は、ＰＤＡを携帯型ディジタルオーディオ再生装置として利用したものである。
【００８０】
図９において、装置６１の前面には、タッチパネル付きの液晶パネル６２が配設される。この液晶パネル６２に表示されるアイコンをスタイラスペン（図示せず）でタップすることで、各種の入力が行える。また、この液晶パネル６２上をスタイラスペンで文字をなぞることで、文字を手書き入力することが可能とされている
【００８１】
また、液晶パネル６２の下方には、ボタン６３、６３、６３、…が配設される。ボタン６３、６３、６３、…は、電源スイッチの他に、アイコンを付与したボタンと、上下スクロールのためのボタンがある。アイコンを付与したボタンは、アプリケーションソフトにリンクしており、そのボタンを押すと、指定したアプリケーションが起動する。
【００８２】
装置６１には、その上部に拡張スロット６４が設けられる。この拡張スロット６４には、拡張モジュールを装着することができる。拡張モジュールとしては、拡張メモリ、カメラ用の拡張モジュール、ＧＰＳの拡張モジュール等がある。　また、この装置６１には、赤外線インターフェースや、ＵＳＢインターフェースが備えられている。
【００８３】
図１０は、装置６１の内部構成を示すものである。図１０において、ＣＰＵコア７１は、メモリ管理やＩ／Ｏコントローラなどが集積したプロセッサである。このＣＰＵコア７１からは、バス７２が導出される。このバス７２に、タッチパネル付きの液晶パネル６２、ＵＳＢインターフェース６７、赤外線インターフェース６６、拡張スロット６４、各種ボタン６３、不揮発性のメモリ７３が取り付けられる。さらに、バス７２には、ＭＰ３やＡＴＲＡＣ３のデコーダ７４が設けられる。デコーダ７４では、ＭＰ３やＡＴＲＡＣ３のデコードが行える。デコードされたデータは、アナログ信号に変換され、ヘッドホン７５から出力される。
【００８４】
ＵＳＢインターフェース６７は、主として、パーソナルコンピュータとのデータ交換のために使われる。すなわち、この装置６１をクレイドルに載せ、クレイドルにあるボタンを押すと、装置６１とパーソナルコンピュータとの間で通信を開始し、データが交換される。
【００８５】
また、このＵＳＢインターフェース６７には、通信モジュールを接続することができる。ＵＳＢインターフェース６７に通信モジュールを接続すると、この装置６１を使ってインターネットをアクセスすることができる。赤外線インターフェース６６は、個人情報装置同士でデータを交換したり、携帯電話端末とデータを交換したりするのに使用される。
【００８６】
この装置６１では、ＵＳＢインターフェース６７を使って、インターネットにアクセスし、音楽配信サーバ１６と接続することができる。装置６１には、初期化設定時に、ユーザＩＤとして固有の機器識別情報がメモリ７３に記録されている。また、この装置６１には、インターネットにアクセスするアプリケーションソフトウェアや、ＭＰ３やＡＴＲＡＣ３のデコードを行うためのアプリケーションソフトウェアがインストールされている。
【００８７】
装置６１をディジタルオーディオ再生機器３３として、インターネットを介して音楽配信サーバ１６に繋ぐと、装置６１のユーザＩＤと、会員番号が音楽配信サーバ１６に送られる。そして、音楽配信サーバ１６で正規の会員番号および機器識別情報であると判断されると、液晶パネル６２に、そのユーザが所有している楽曲のリストが表示される。この液晶パネル６２のリスト表示を見て、自分の入手したい楽曲を選択すると、選択された楽曲の音楽データが音楽配信サーバ１６から送られ、メモリ７３（または外部メモリ）に蓄積される。このメモリ７３に蓄積された音楽データは、ＭＰ３やＡＴＲＡＣ３のデコードを行うためのアプリケーションソフトウェアを起動させ、デコーダ７４でデコードできる。デコードされたデータは、アナログ信号に変換され、ヘッドホン７５から出力される。
【００８８】
以上のように、この例では、識別情報（ＵＤＩ）が記録されているＣＤのディスク２５を用いることで、各ディスク毎にユーザを識別し、各ユーザ毎に保有している楽曲を管理し、ユーザの保有している楽曲については優先的に音楽配信のサービスを行うことが可能となる。
【００８９】
なお、上述の例において、ディスクの識別情報（ＵＤＩ）を、レンタル店で廉たるされるＣＤとそれ以外のＣＤとで異なるようにしておくようにして、サーバ側で識別できるようにしても良い。このようにすると、レンタルＣＤの管理が適切に行え、著作権の保護が図れる。
【００９０】
また、上述の例では、ＣＤのディスクを記録媒体として用いたが、この発明は、他の記録媒体の場合にも同様に適用できる。例えば、フラッシュメモリを使ったカード型の記録媒体にも、識別情報が入れられるものがある。この識別情報をパーソナルコンピュータ等で読み出すことができれば、上述と同様なシステムが構築できる。
【００９１】
また、ここでは音楽の再生を例にしているが、映画などの映像用のＤＶＤ（Ｄｉｇｉｔａｌ　Ｖｅｒｓａｔｉｌｅ　Ｄｉｓｃ）の場合でも、同様のシステムが実現可能である。また、コンテンツのデータとしては、音楽データ、映画等の映像データの他、ゲーム等を再生するプログラムでも良い。
【００９２】
また、コンテンツの提供者側においては、正規にコンテンツが記録された記録媒体を購入した顧客に対して、各種のレベルのサービスを行うことが可能である。例えば、コンテンツの提供者が記録媒体の譲渡を認めるなら、登録サイトにアクセスして自分のコンテンツのリストから削除することにより、他人への譲渡が認められる。譲渡を受けた人は、上述と同様にして、ユーザの登録処理が可能である。
【００９３】
図１１は、この発明の他の例を示すものである。上述のシステムの例では、ディスクとして、各ディスク毎に固有のディスク識別情報（ＵＤＩ）を追加記録できるものが用いられていたが、この例では、通常のＣＤのディスクが用いられる。
【００９４】
図１１において、アルバムやシングルのＣＤディスクを作成する場合には、音楽会社１１１からディスク工場１２１にディスクの作成が依頼され、アーチストにより作成された音楽ソース１１２が、音楽会社１１１からディスク工場１２１に送られる。この音楽ソース１１２は、通常、アナログ或いはディジタル録音されたテープやディスクの形でアーチストから提供され、このテープやディスクが音楽会社１１１からディスク工場１２１に送られる。
【００９５】
また、この音楽ソース１１２は、音楽会社１１１の楽曲サーバ１１３に送られる。楽曲サーバ１１３は、これまでその音楽会社１１１が出版してきたＣＤの楽曲のライブラリとなるサーバである。音楽ソース１１２が楽曲サーバ１１３に送られると、楽曲サーバ１１３に、音楽ソース１１２の各音楽データが格納され、今回出版するＣＤの音楽データがライブラリに加えられる。また、音楽ソース１１２として含められる各曲の曲名、アーチスト名等、このＣＤに関する各種情報１１５が、音楽会社１１１のＩＤ管理サーバ１１４に送られる。
【００９６】
ディスク工場１２１では、音楽会社１１１から音楽ソース１１２にＣＤのディスクの依頼があり、その音楽ソース１１２が届いたら、音楽ソース１１２の音楽データが記録されたＣＤディスクの作成を行う。すなわち、ディスク工場１２１では、音楽会社１１１からＣＤディスク１２５の作成の依頼を受け、音楽ソース１１２を受け取ると、ディスク製造工程１２２に入り、音楽ソース１１２の音楽データが記録されたマスタディスクを作成する。このマスタディスクから、スタンパにより、音楽ソース１１２の音楽データが記録されたＣＤディスク１２５を大量生産する。
【００９７】
このようにして作成されたディスクは、ラッピング工程１２６を経て、ＣＤケースに収納され、ラッピングされて、商品となる。そして、ラッピング工程１２６において、各ディスク毎に、ディスクの表面、或いは、ディスクに同封される歌詞カードやその他の用紙にディスク識別情報が印字される。このディスク識別情報は、ＩＤ書き込みコントロールサーバ１２４により管理されている。また、今回作成された各ディスクに記録されたディスク識別情報は、音楽会社またはソフトハウスのＩＤ管理サーバ１１４に送られる。ラッピング工程１２６を経て、ＣＤケースに収納され、ラッピングされて、商品となったディスクは、エンドユーザ１３１に届けられる。
【００９８】
エンドユーザ１３１は、ディスク１２５を購入したら、ディスクの登録作業を行う。なお、エンドユーザ１３１が会員登録を済ましていなければ、その前に、会員登録が行われる。会員登録を行う際に、ユーザの名前や住所、電話番号、電子メールアドレス等の個人情報がエンドユーザ１３１のパーソナルコンピュータ１３２から音楽会社１１１のＩＤ管理サーバ１１４に送られる。
【００９９】
そして、エンドユーザ１３１は、ディスク１２５を購入したら、インターネット等のネットワーク接続機能を持ったパーソナルコンピュータ１３２で、ディスク識別情報を入力して、登録処理を行う。
【０１００】
すなわち、各ディスク１２５の表面、或いは、各ディスクに同封される歌詞カードやその他の用紙にディスク識別情報が印字されている。登録時には、このディスク識別情報がエンドユーザにより入力され、エンドユーザ１３１のパーソナルコンピュータ１３２から音楽会社１１１のＩＤ管理サーバ１１４にインターネット等のネットワークを経由して送られる。
【０１０１】
音楽会社１１１のＩＤ管理サーバ１１４では、ＩＤ書き込みコントロールサーバ１２４から送られてきた識別情報と、音楽ソース１１２として含められる各曲の曲名、アーチスト名等、作成されるＣＤに関する各種の情報１１５と、会員登録時にエンドユーザ１３１から送られてきたディスク個人情報と、ディスク識別情報を基に、カスタマーおよび所有楽曲リストが作成される。
【０１０２】
カスタマーおよび所有楽曲リストには、購入者名と、会員番号と、ＣＤの識別情報と、シングル／アルバム情報と、アーチスト名と、タイトルと、曲名と、機器識別情報とが記述される。
【０１０３】
また、音楽会社１１１には、音楽配信サーバ１１６が設けられる。音楽配信サーバ１１６は、インターネットや携帯電話の回線で、携帯型のディジタルオーディオ機器１３３を使った音楽配信サービスを行っている。この音楽配信サーバ１１６は、楽曲サーバ１１３に蓄積されている楽曲の音楽データを提供することができる。そして、音楽配信サーバ１１５は、ＩＤ管理サーバ１１４に設けられたカスタマーおよび所有楽曲リストを参照して、ＣＤを購入したユーザに対して、優先的に音楽配信サービスを行っている。
【０１０４】
以上のように、この例では、各ディスク毎に印字或いは各ディスクに同封される用紙に印字されている各ディスク毎に固有のディスク識別情報を用いて、各ユーザが購入したＣＤのディスクの楽曲を管理するようにしている。他の構成については、前述の各ディスク毎に固有のディスク識別情報（ＵＤＩ）を記録する例と同様である。
【０１０５】
【発明の効果】
以上説明したように、この発明によれば、例えば音楽データが記録されたＣＤのディスクに、各ディスク毎に固有の識別情報が記録されている。エンドユーザは、ディスクを購入したら登録処理を行い、インターネット等のネットワークを経由してディスクに識別番号をコンテンツの提供者の管理サーバに送る。このディスクの識別情報を使って、各ユーザ毎にどの楽曲を保有しているのかを示すリストが作成される。そして、各ユーザが保有している楽曲については、再生が許可されたり、ダウンロードが無料或いは低料金で行える。
【０１０６】
このため、エンドユーザ側にとっては、ＣＤを購入すると、そのＣＤに収納されている音楽データの音楽配信が優先的に受けられるようになり、自宅でＣＤにより音楽再生ができると共に、音楽配信を使って、携帯型のディジタルオーディオ機器により、いつでも、どこでも、自分が所有している音楽の再生が可能になる。そして、携帯型のディジタルオーディオ機器を利用する際に、ＣＤのディスクからの音楽データをコピーする必要がなくなると共に、同一の音楽データを２回料金を支払って購入する必要がなくなるという利点がある。
【０１０７】
また、コンテンツの提供者側にとっては、ＣＤを購入したユーザがＣＤのディスクからの音楽データをコピーする機会が少なくなることが予想されるため、著作権の保護が図りやすい。また、ＣＤのディスクから携帯型のディジタルオーディオ機器にコピーしなくても、その音楽データが音楽配信で手に入れられるため、ＣＤの売り上げへの影響が少ないと考えられる。
【０１０８】
さらに、ＣＤの売り上げと音楽配信とが関連するようになるため、コンテンツの提供者が積極的に音楽配信で自分の楽曲を提供することになることが予想され、音楽配信サービスの発展が期待できる。
【図面の簡単な説明】
【図１】この発明が適用されたシステムの一例のブロック図である。
【図２】識別情報の記録の説明に用いる断面図である。
【図３】識別情報の記録の説明に用いるフローチャートである。
【図４】識別情報の記録の説明に用いる略線図である。
【図５】会員登録処理の説明に用いるフローチャートである。
【図６】ディスク購入時の登録処理の説明に用いるフローチャートである。
【図７】カスタマーおよび所有楽曲リストの一例のデータ構造を示す略線図である。
【図８】配信処理の説明に用いるフローチャートである。
【図９】携帯型のディジタルオーディオ機器として用いられるＰＤＡの一例の平面図である。
【図１０】携帯型のディジタルオーディオ機器として用いられるＰＤＡの一例の構成を示すブロック図である。
【図１１】この発明が適用されたシステムの他の例のブロック図である。
【符号の説明】
１３・・・楽曲サーバ、１４・・・ＩＤ管理サーバ、１６・・・音楽配信サーバ、２２・・・ディスク製造工程、２３・・・ＩＤ書き込み工程、２４・・・ＩＤ書き込みコントロールサーバ、２５・・・ディスク、３２・・・パーソナルコンピュータ、３３・・・ディジタルオーディオ再生機器
【図１】
2004004245.tif 000003
【図２】
2004004245.tif 000004
【図３】
2004004245.tif 000005
【図４】
2004004245.tif 000006
【図５】
2004004245.tif 000007
【図６】
2004004245.tif 000008
【図７】
2004004245.tif 000009
【図８】
2004004245.tif 000010
【図９】
2004004245.tif 000011
【図１０】
2004004245.tif 000012
【図１１】
2004004245.tif 000013